(57)【要約】【課題】所有者や利用者が容易にエレベーター乗りかごの待機階床を変更・指定することができるエレベーター装置の提供。【解決手段】エレベーターの呼びが所定時間無い場合、乗りかご１を特定の階床に呼び寄せて待機させる基準階復帰機能を備えたエレベーター装置において、階床呼びを設定する階床設定手段５ｂを有するとともに、無線電波で信号の送受信を行う可搬性の無線操作装置５と、エレベーター制御装置４に接続され、無線操作装置５からの信号を受信すると、エレベーター制御装置４へ該信号を出力する無線受信装置６とを備え、無線操作装置５は、階床設定手段５ｂで設定した階床呼びを所定時間間隔で出力するようにしたものである。【選択図】図１
2007145474.tif 000002
【特許請求の範囲】
【請求項１】
エレベーターの呼びが所定時間無い場合、乗りかごを特定の階床に呼び寄せて待機させる基準階復帰機能を備えたエレベーター装置において、階床呼びを設定する階床設定手段を有するとともに、無線電波で信号の送受信を行う可搬性の無線操作装置と、エレベーター制御装置に接続され、前記無線操作装置からの信号を受信すると、前記エレベーター制御装置へ該信号を出力する無線受信装置とを備え、前記無線操作装置は、前記階床設定手段で設定した階床呼びを所定時間間隔で出力することを特徴とするエレベーター装置。
【発明の詳細な説明】
【技術分野】
【０００１】
本発明はエレベーター装置に係り、特にエレベーターの待機階である基準階の変更に好適なエレベーター装置に関する。
【背景技術】
【０００２】
公知の方式として、一般に出退勤時間に合わせ待機階床を可変させエレベーターの待ち時間を減少させることを目的にした特定時間帯特定階待機運転方法がある。
【特許文献１】特開昭６３−１９４８７９号公報（段落００１４〜００１８、図１）
【発明の開示】
【発明が解決しようとする課題】
【０００３】
待機階床の変更については前述したように予め固定設定された時間帯と場所に待機する方式やエレベーター制御装置のプログラムで判断される方式がとられており、所有者や利用者が容易に待機階床を変更・選択することができないという問題があった。
【０００４】
本発明の目的は、所有者や利用者が容易にエレベーター乗りかごの待機階床を変更・指定することができるエレベーター装置を提供することにある。
【課題を解決するための手段】
【０００５】
上記目的を達成するために本発明は、エレベーターの呼びが所定時間無い場合、乗りかごを特定の階床に呼び寄せて待機させる基準階復帰機能を備えたエレベーター装置において、階床呼びを設定する階床設定手段を有するとともに、無線電波で信号の送受信を行う可搬性の無線操作装置と、エレベーター制御装置に接続され、前記無線操作装置からの信号を受信すると、前記エレベーター制御装置へ該信号を出力する無線受信装置とを備え、前記無線操作装置は、前記階床設定手段で設定した階床呼びを所定時間間隔で出力するようにしたものである。
【０００６】
このようにしたので、無線操作装置は予め階床設定手段で設定した階床呼びの信号を所定間隔で出力し、この階床呼びの信号は無線受信装置を介してエレベーター制御装置へ出力されるので、設定した階床呼びの信号によってエレベーター呼びが登録され、乗りかごが当該階床へ呼び寄せられる。
【発明の効果】
【０００７】
本発明によれば、エレベーターの利用客が多くなる階床に対して、無線操作装置及び無線受信装置を設置するだけでエレベーターの基準階を変更できるので、専門作業者に頼ることなく所有者が容易にエレベーター乗りかごの待機階床を変更・指定することができるとともに、エレベーターの利用者の待ち時間も短縮できる。
【発明を実施するための最良の形態】
【０００８】
本発明のエレベーター装置の一実施形態を図１を用いて説明する。
【０００９】
図１は、本発明のエレベーター装置の一実施形態を示すブロック図である。
【００１０】
図１において、乗かご１およびつり合いおもり２と、これら乗かご１およびつり合いおもり２を駆動する駆動装置３と、乗かご１を制御する、すなわち駆動装置３を制御するエレベーター制御装置４とを備えている。駆動装置３やエレベーター制御装置４は、図示しないが昇降路の上方等に設けられる機械室に設置されている。
【００１１】
また、本実施形態は、無線操作装置５を備えている。この無線操作装置５は乗りかご１を呼び寄せる指令を入力可能な手動入力手段を備えている。この手動入力手段は、例えば、乗りかご１を呼び寄せる信号を発生させる接点の呼び登録スイッチ５ａからなる。
【００１２】
また、無線操作装置５は無線操作装置５を設置する階床であるエレベーター呼び寄せたい階床を入力する手動入力手段を備えている。この手動入力手段は、例えば、キー入力で階床を入力する階床スイッチ５ｂからなる。
【００１３】
また、無線操作装置５は、通信器５ｃを備えている。この通信器５ｃは、呼び登録スイッチ５ａにおいて発生した呼び信号と、操作装置５のアドレス信号や階床スイッチ５ｂで設定された階床情報を無線信号に変換して出力する送信手段として機能するとともに、外部からの無線信号を受信して復調する受信手段としても機能する。
【００１４】
また、本実施形態は、エレベーター制御装置４に付設され、このエレベーター制御装置４に指令信号と待機階床を出力する無線受信装置６を備えている。この無線受信装置６は、エレベーター制御装置４と信号線を介して接続された入出力装置６ａを備えている。また、無線受信装置６は、通信器６ｂを備えている。この通信器６ｂは、入出力装置６ａにより入力されたリクエスト結果と、無線受信装置６のアドレス信号とを、無線信号に変換して外部に出力する送信手段として機能するとともに、外部からの無線信号を受信して復調する受信手段としても機能する。
【００１５】
また、本実施形態は、操作装置５の通信器５ｃと無線受信装置６の通信器６ｂとの間で、無線信号を中継する中継手段、例えば中継器７、８を備えている。これら中継器７、８は操作装置５と無線受信装置６の間で電波が届かない場合に設置され双方向で中継を行うことができ、複数設置することができる。
【００１６】
このように構成した本実施形態の動作について次に図３のフローチャートを用いて動作を説明する。
【００１７】
例えば、図１に示すような状態であった場合、利用者は操作装置５の階床スイッチ５ｂを操作し操作装置５を設置した階床であり、エレベーター呼び寄せたい階床を入力する（手順Ｓ０１）。
【００１８】
通信器５ｃは定期的に無線受信装置６宛に設置階床情報を無線信号に変換し送信する（手順Ｓ０２）。送信されたデータは中継器７または８を経由し無線受信装置６の通信器６ｂで受信する（手順Ｓ０３）。受信されたデータは入出力装置６ａを通してエレベーター制御装置４に出力される（手順Ｓ０４）。エレベーター制御装置４はエレベーターが運転サービスを行っていないときに乗りかご１を階床スイッチ５ｂの階床情報に従い移動させる（手順Ｓ０５）。
【００１９】
なお、利用者が操作装置５をフロアーを超えて移動させた場合は、階床スイッチ５ｂを再度操作し移動後に設置した階床を入力することで手順Ｓ０２以降が実施される・
また、図２に示すように、階床を入力する手動入力手段の階床スイッチ９ａと通信器９ｂを備えた各階床毎にフロアー司令装置９を階床に設置し、この通信器９ｂは階床情報を無線信号に変換して出力する送信手段として機能するとともに、外部からの無線信号を受信して復調する受信手段としても機能する。
【００２０】
この時、操作装置５はフロアー司令装置９の何れか１台のみとしか通信を行わないように専用の無線プログラムを用い指定すれば、無線通信を行なわせた時に、フロアー司令装置９の階床スイッチ９ａで設定された階床情報が通信器９ｂから通信器５ｃを通し階床スイッチに登録される。
【００２１】
本実施形態によれば、無線操作装置５の階床スイッチ５ｂで設定した階床呼びは、通信器５ｃが所定間隔で送信し、指令装置６を介してエレベーター制御装置４へ入力されることで、階床スイッチ５ｂにて設定した階床は、あたかもエレベーターの呼びが所定時間発生しなかったとき、乗りかご１を待機させる基準階となるので、当該階床で会議やパーティ及びイベント等のエレベーター利用が多いとき、エレベーター利用者の待ち時間を短縮することができる。
【図面の簡単な説明】
【００２２】
【図１】本発明の一実施の形態を表すブロック図である。
【図２】本発明の一実施の形態を表すブロック図である。
【図３】本発明の一実施の形態を表すフローチャートである。
【符号の説明】
【００２３】
１  乗りかご
２  つり合いおもり
３  駆動装置
４  エレベーター制御装置
５  無線操作装置
５ａ  呼び登録スイッチ
５ｂ  階床スイッチ
５ｃ  通信器
６  無線受信装置
６ａ  入出力装置
６ｂ  通信器
７  中継器１
８  中継器２
９フロアー司令装置
９ａ階床スイッチ
９ｂ通信器
【図１】
2007145474.tif 000003
【図２】
2007145474.tif 000004
【図３】
2007145474.tif 000005